(57)【要約】【課題】使用者がビデオライトモードの解除方法を容易に理解することができる撮像装置を提供する。【解決手段】制御マイコン１５は、ビデオライトモード検出回路１６によってビデオライトモードがＯＮであるか否かを判別する（Ｓ１）。ビデオライトモードがＯＮであることが検出された場合、制御マイコン１５はＬＣＤパネル１２を全白表示に切り替える（Ｓ２）。ＬＣＤパネル１２が全白表示に切り替えられたビデオライトモードにおいて、制御マイコン１５は、開閉検出スイッチ１４の閉状態が検出されたか否かを判別する（Ｓ３）。開閉検出スイッチ１４の閉状態が検出されると、制御マイコン１５は、ビデオライトモードを解除し、ＬＣＤパネル１２の全白表示を終了させる（Ｓ４）。開閉検出スイッチ１４が開状態である場合、制御マイコン１５は、ＬＣＤパネル１２の全白表示を保持する。【選択図】図２
2009130539.tif 000002
【特許請求の範囲】
【請求項１】
被写体を撮像する撮像装置であって、
前記撮像された被写体の映像表示あるいは全白表示を行う表示手段と、
前記表示手段をビデオライトとして使用するためのビデオライトモードを選択する選択手段と、
前記ビデオライトモードが選択されている時、特定の状況が発生した場合、前記ビデオライトモードを解除して前記表示手段による全白表示を終了させる表示制御手段とを備えたことを特徴とする撮像装置。
【請求項２】
被写体を撮像する撮像装置であって、
前記撮像された被写体の映像表示あるいは全白表示を行う表示手段と、
前記表示手段の開閉状態を検出する開閉検出手段と、
前記表示手段をビデオライトとして使用するためのビデオライトモードを選択する選択手段と、
前記ビデオライトモードが選択されている時、前記開閉検出手段によって前記表示手段が開状態であることが検出された場合、前記表示手段を全白表示に切り替え、一方、前記表示手段が閉状態であることが検出された場合、前記ビデオライトモードを解除して前記表示手段による全白表示を終了させる表示制御手段とを備えたことを特徴とする撮像装置。
【請求項３】
前記表示手段が前記被写体側あるいは撮影者側に向いたことを検出する方向検出手段を備え、
前記表示制御手段は、前記ビデオライトモードが選択されている時、前記方向検出手段によって前記表示手段が前記撮影者側に向いていることが検出され、かつ前記開閉検出手段によって前記表示手段が閉状態であることが検出された場合、前記ビデオライトモードを解除して前記表示手段による全白表示を終了させることを特徴とする請求項２記載の撮像装置。
【請求項４】
被写体を撮像する撮像装置であって、
前記撮像された被写体の映像表示あるいは全白表示を行う表示手段と、
前記撮像装置に対してキー操作が行われたことを検出する操作検出手段と、
最後に前記キー操作が行われたことが検出されてからの時間を計時する計時手段と、
前記表示手段をビデオライトとして使用するためのビデオライトモードを選択する選択手段と、
前記ビデオライトモードが選択されている時、前記表示手段を全白表示に切り替え、一方、前記計時手段によって計時された時間が所定時間を経過した場合、前記ビデオライトモードを解除して前記表示手段による全白表示を終了させる表示制御手段とを備えたことを特徴とする撮像装置。
【請求項５】
被写体を撮像する撮像装置であって、
前記撮像された被写体の映像表示あるいは全白表示を行う表示手段と、
前記撮像装置に着脱自在に設けられ、前記撮像された映像が記録される記録媒体と、
前記記録媒体を外部に取り出すための取出し操作が行われたことを検出する取出検出手段と、
前記表示手段をビデオライトとして使用するためのビデオライトモードを選択する選択手段と、
前記ビデオライトモードが選択されている時、前記表示手段を全白表示に切り替え、一方、前記取出し操作が行われたことが検出された場合、前記ビデオライトモードを解除して前記表示手段による全白表示を終了させる表示制御手段とを備えたことを特徴とする撮像装置。
【請求項６】
被写体を撮像する撮像装置であって、
前記撮像された被写体の映像表示あるいは全白表示を行う表示手段と、
前記撮像装置に設けられ、前記撮像された映像が記録される記録媒体と、
前記記録媒体の残容量を検出する残容量検出手段と、
前記表示手段をビデオライトとして使用するためのビデオライトモードを選択する選択手段と、
前記ビデオライトモードが選択されている時、前記表示手段を全白表示に切り替え、一方、前記残容量検出手段によって前記記録媒体の残容量が閾値以下となった場合、前記ビデオライトモードを解除して前記表示手段による全白表示を終了させる表示制御手段とを備えたことを特徴とする撮像装置。
【請求項７】
被写体を撮像する撮像装置であって、
前記撮像された被写体の映像表示あるいは全白表示を行う表示手段と、
前記表示手段をビデオライトとして使用するためのビデオライトモードを選択する選択手段と、
前記ビデオライトモードが選択されている時、前記表示手段を全白表示に切り替える表示制御手段と、
前記切り替えられた全白表示に前記ビデオライトモードの解除方法を示す内容を重畳する重畳手段とを備え、
前記表示制御手段は、前記重畳されたビデオライトモードの解除方法を示す内容に従って、所定の操作が行われた場合、前記ビデオライトモードを解除して前記表示手段による全白表示を終了させることを特徴とする撮像装置。
【請求項８】
被写体を撮像する撮像装置の表示制御方法であって、
前記撮像装置の表示手段が前記撮像された被写体の映像表示あるいは全白表示を行う表示ステップと、
前記撮像装置の選択手段が前記表示手段をビデオライトとして使用するためのビデオライトモードを選択する選択ステップと、
前記撮像装置の表示制御手段が、前記ビデオライトモードが選択されている時、特定の状況が発生した場合、前記ビデオライトモードを解除して前記表示手段による全白表示を終了させる表示制御ステップとを有することを特徴とする表示制御方法。
【請求項９】
被写体を撮像する撮像装置の表示制御方法であって、
前記撮像装置の表示手段が前記撮像された被写体の映像表示あるいは全白表示を行う表示ステップと、
前記撮像装置の開閉検出手段が前記表示手段の開閉状態を検出する開閉検出ステップと、
前記撮像装置の選択手段が前記表示手段をビデオライトとして使用するためのビデオライトモードを選択する選択ステップと、
前記撮像装置の表示制御手段が、前記ビデオライトモードが選択されている時、前記開閉検出ステップで前記表示手段が開状態であることが検出された場合、前記表示手段を全白表示に切り替え、一方、前記表示手段が閉状態であることが検出された場合、前記ビデオライトモードを解除して前記表示手段による全白表示を終了させる表示制御ステップとを有することを特徴とする表示制御方法。
【請求項１０】
前記撮像装置の方向検出手段が、前記表示手段が前記被写体側あるいは撮影者側に向いたことを検出する方向検出ステップを有し、
前記表示制御ステップでは、前記ビデオライトモードが選択されている時、前記方向検出ステップで前記表示手段が前記撮影者側に向いていることが検出され、かつ前記開閉検出ステップで前記表示手段が閉状態であることが検出された場合、前記ビデオライトモードを解除して前記表示手段による全白表示を終了させることを特徴とする請求項９記載の表示制御方法。
【請求項１１】
被写体を撮像する撮像装置の表示制御方法であって、
前記撮像装置の表示手段が前記撮像された被写体の映像表示あるいは全白表示を行う表示ステップと、
前記撮像装置の操作検出手段が、前記撮像装置に対してキー操作が行われたことを検出する操作検出ステップと、
前記撮像装置の計時手段が、最後に前記キー操作が行われたことが検出されてからの時間を計時する計時ステップと、
前記撮像装置の選択手段が前記表示手段をビデオライトとして使用するためのビデオライトモードを選択する選択ステップと、
前記撮像装置の表示制御手段が、前記ビデオライトモードが選択されている時、前記表示手段を全白表示に切り替え、一方、前記計時ステップで計時された時間が所定時間を経過した場合、前記ビデオライトモードを解除して前記表示手段による全白表示を終了させる表示制御ステップとを有することを特徴とする表示制御方法。
【請求項１２】
被写体を撮像する撮像装置の表示制御方法であって、
前記撮像装置の表示手段が前記撮像された被写体の映像表示あるいは全白表示を行う表示ステップと、
前記撮像装置の取出検出手段が、前記撮像装置に着脱自在に設けられ、前記撮像された映像が記録される記録媒体を外部に取り出すための取出し操作が行われたことを検出する取出検出ステップと、
前記撮像装置の選択手段が前記表示手段をビデオライトとして使用するためのビデオライトモードを選択する選択ステップと、
前記撮像装置の表示制御手段が、前記ビデオライトモードが選択されている時、前記表示手段を全白表示に切り替え、一方、前記取出し操作が行われたことが検出された場合、前記ビデオライトモードを解除して前記表示手段による全白表示を終了させる表示制御ステップとを有することを特徴とする表示制御方法。
【請求項１３】
被写体を撮像する撮像装置の表示制御方法であって、
前記撮像装置の表示手段が前記撮像された被写体の映像表示あるいは全白表示を行う表示ステップと、
前記撮像装置の残容量検出手段が、前記撮像装置に設けられ、前記撮像された映像が記録される記録媒体の残容量を検出する残容量検出ステップと、
前記撮像装置の選択手段が、前記表示手段をビデオライトとして使用するためのビデオライトモードを選択する選択ステップと、
前記撮像装置の表示制御手段が、前記ビデオライトモードが選択されている時、前記表示手段を全白表示に切り替え、一方、前記残容量検出ステップで前記記録媒体の残容量が閾値以下となった場合、前記ビデオライトモードを解除して前記表示手段による全白表示を終了させる表示制御ステップとを有することを特徴とする表示制御方法。
【請求項１４】
被写体を撮像する撮像装置の表示制御方法であって、
前記撮像装置の表示手段が前記撮像された被写体の映像表示あるいは全白表示を行う表示ステップと、
前記撮像装置の選択手段が前記表示手段をビデオライトとして使用するためのビデオライトモードを選択する選択ステップと、
前記撮像装置の表示制御手段が、前記ビデオライトモードが選択されている時、前記表示手段を全白表示に切り替える表示制御ステップと、
前記撮像装置の重畳手段が前記切り替えられた全白表示に前記ビデオライトモードの解除方法を示す内容を重畳する重畳ステップとを有し、
前記表示制御手段が、前記重畳されたビデオライトモードの解除方法を示す内容に従って、所定の操作が行われた場合、前記ビデオライトモードを解除して前記表示手段による全白表示を終了させることを特徴とする表示制御方法。
【請求項１５】
被写体を撮像する撮像装置であって、
前記撮像された被写体の映像表示あるいは全白表示を行う表示手段と、
前記撮像された映像を再生するレックレビュー再生手段と、
前記表示手段をビデオライトとして使用するためのビデオライトモードを選択する選択手段と、
前記ビデオライトモードが選択されている時、前記表示手段を全白表示に切り替え、一方、前記レックレビュー再生手段によってレックレビューが開始された場合、前記ビデオライトモードを解除して前記表示手段による全白表示を終了させ、その後、前記レックレビュー再生手段による映像の再生が終了した場合、前記ビデオライトモードに復帰して前記表示手段による全白表示を再開させる表示制御手段とを備えたことを特徴とする撮像装置。
【請求項１６】
被写体を撮像する撮像装置の表示制御方法であって、
前記撮像装置の表示手段が前記撮像された被写体の映像表示あるいは全白表示を行う表示ステップと、
前記撮像装置のレックレビュー再生手段が前記撮像された映像を再生するレックレビュー再生ステップと、
前記撮像装置の選択手段が前記表示手段をビデオライトとして使用するためのビデオライトモードを選択する選択ステップと、
前記撮像装置の表示制御手段が、前記ビデオライトモードが選択されている時、前記表示手段を全白表示に切り替え、一方、前記レックレビュー再生手段によってレックレビューが開始された場合、前記ビデオライトモードを解除して前記表示手段による全白表示を終了させ、その後、前記レックレビュー再生手段による映像の再生が終了した場合、前記ビデオライトモードに復帰して前記表示手段による全白表示を再開させる表示制御ステップとを有することを特徴とする撮像装置の表示制御方法。
【発明の詳細な説明】
【技術分野】
【０００１】
本発明は、被写体を撮像する撮像装置及びその表示制御方法に関する。
【背景技術】
【０００２】
従来、撮像装置である各種カメラにおいて、被写体に対する照明光源として、内蔵ライトや、カメラ本体に対して着脱自在に設けられた外付けライトである外部照明等が一般的に用いられている。また、液晶パネルを全白にしてその光を被写体に向けることで、ビデオライトとして使用することが知られている（特許文献１参照）。
【０００３】
また、ビデオライトモード検出回路から制御マイコンにビデオライトモードのＯＮ信号を入力することにより、ＬＣＤパネルを全白表示に切り替えてビデオライトとして利用するビデオカメラが提案されている。
【特許文献１】特開平１０−１２６６５５号公報
【発明の開示】
【発明が解決しようとする課題】
【０００４】
しかしながら、上記従来の撮像装置では、ビデオライトモード検出回路でビデオライトモードのＯＮが検出されると、ＬＣＤパネルが全白表示になるので、ビデオライトモードの解除方法が分りにくかった。特に、誤操作によりビデオライトモードに移行した場合、故障と勘違いしてしまいかねなかった。
【０００５】
そこで、本発明は、上記問題点に鑑みなされたものであり、使用者がビデオライトモードの解除方法を容易に理解することができる撮像装置及びその表示制御方法を提供することを目的とする。
【課題を解決するための手段】
【０００６】
上記目的を達成するために、本発明の撮像装置は、被写体を撮像する撮像装置であって、前記撮像された被写体の映像表示あるいは全白表示を行う表示手段と、前記表示手段をビデオライトとして使用するためのビデオライトモードを選択する選択手段と、前記ビデオライトモードが選択されている時、特定の状況が発生した場合、前記ビデオライトモードを解除して前記表示手段による全白表示を終了させる表示制御手段とを備えたことを特徴とする。
【０００７】
本発明の撮像装置は、被写体を撮像する撮像装置であって、前記撮像された被写体の映像表示あるいは全白表示を行う表示手段と、前記表示手段の開閉状態を検出する開閉検出手段と、前記表示手段をビデオライトとして使用するためのビデオライトモードを選択する選択手段と、前記ビデオライトモードが選択されている時、前記開閉検出手段によって前記表示手段が開状態であることが検出された場合、前記表示手段を全白表示に切り替え、一方、前記表示手段が閉状態であることが検出された場合、前記ビデオライトモードを解除して前記表示手段による全白表示を終了させる表示制御手段とを備えたことを特徴とする。
【０００８】
本発明の撮像装置は、被写体を撮像する撮像装置であって、前記撮像された被写体の映像表示あるいは全白表示を行う表示手段と、前記撮像装置に対してキー操作が行われたことを検出する操作検出手段と、最後に前記キー操作が行われたことが検出されてからの時間を計時する計時手段と、前記表示手段をビデオライトとして使用するためのビデオライトモードを選択する選択手段と、前記ビデオライトモードが選択されている時、前記表示手段を全白表示に切り替え、一方、前記計時手段によって計時された時間が所定時間を経過した場合、前記ビデオライトモードを解除して前記表示手段による全白表示を終了させる表示制御手段とを備えたことを特徴とする。
【０００９】
本発明の撮像装置は、被写体を撮像する撮像装置であって、前記撮像された被写体の映像表示あるいは全白表示を行う表示手段と、前記撮像装置に着脱自在に設けられ、前記撮像された映像が記録される記録媒体と、前記記録媒体を外部に取り出すための取出し操作が行われたことを検出する取出検出手段と、前記表示手段をビデオライトとして使用するためのビデオライトモードを選択する選択手段と、前記ビデオライトモードが選択されている時、前記表示手段を全白表示に切り替え、一方、前記取出し操作が行われたことが検出された場合、前記ビデオライトモードを解除して前記表示手段による全白表示を終了させる表示制御手段とを備えたことを特徴とする。
【００１０】
本発明の撮像装置は、被写体を撮像する撮像装置であって、前記撮像された被写体の映像表示あるいは全白表示を行う表示手段と、前記撮像装置に設けられ、前記撮像された映像が記録される記録媒体と、前記記録媒体の残容量を検出する残容量検出手段と、前記表示手段をビデオライトとして使用するためのビデオライトモードを選択する選択手段と、前記ビデオライトモードが選択されている時、前記表示手段を全白表示に切り替え、一方、前記残容量検出手段によって前記記録媒体の残容量が閾値以下となった場合、前記ビデオライトモードを解除して前記表示手段による全白表示を終了させる表示制御手段とを備えたことを特徴とする。
【００１１】
本発明の撮像装置は、被写体を撮像する撮像装置であって、前記撮像された被写体の映像表示あるいは全白表示を行う表示手段と、前記表示手段をビデオライトとして使用するためのビデオライトモードを選択する選択手段と、前記ビデオライトモードが選択されている時、前記表示手段を全白表示に切り替える表示制御手段と、前記切り替えられた全白表示に前記ビデオライトモードの解除方法を示す内容を重畳する重畳手段と、前記重畳されたビデオライトモードの解除方法を示す内容に従って、所定の操作が行われた場合、前記ビデオライトモードを解除して前記表示手段による全白表示を終了させる表示制御手段とを備えたことを特徴とする。
【００１２】
本発明の撮像装置の表示制御方法は、被写体を撮像する撮像装置の表示制御方法であって、前記撮像装置の表示手段が前記撮像された被写体の映像表示あるいは全白表示を行う表示ステップと、前記撮像装置の選択手段が前記表示手段をビデオライトとして使用するためのビデオライトモードを選択する選択ステップと、前記撮像装置の表示制御手段が、前記ビデオライトモードが選択されている時、特定の状況が発生した場合、前記ビデオライトモードを解除して前記表示手段による全白表示を終了させる表示制御ステップとを有することを特徴とする。
【００１３】
本発明の撮像装置の表示制御方法は、被写体を撮像する撮像装置の表示制御方法であって、前記撮像装置の表示手段が前記撮像された被写体の映像表示あるいは全白表示を行う表示ステップと、前記撮像装置の開閉検出手段が前記表示手段の開閉状態を検出する開閉検出ステップと、前記撮像装置の選択手段が前記表示手段をビデオライトとして使用するためのビデオライトモードを選択する選択ステップと、前記撮像装置の表示制御手段が、前記ビデオライトモードが選択されている時、前記開閉検出ステップで前記表示手段が開状態であることが検出された場合、前記表示手段を全白表示に切り替え、一方、前記表示手段が閉状態であることが検出された場合、前記ビデオライトモードを解除して前記表示手段による全白表示を終了させる表示制御ステップとを有することを特徴とする。
【００１４】
本発明の撮像装置の表示制御方法は、被写体を撮像する撮像装置の表示制御方法であって、前記撮像装置の表示手段が前記撮像された被写体の映像表示あるいは全白表示を行う表示ステップと、前記撮像装置の操作検出手段が、前記撮像装置に対してキー操作が行われたことを検出する操作検出ステップと、前記撮像装置の計時手段が、最後に前記キー操作が行われたことが検出されてからの時間を計時する計時ステップと、前記撮像装置の選択手段が前記表示手段をビデオライトとして使用するためのビデオライトモードを選択する選択ステップと、前記撮像装置の表示制御手段が、前記ビデオライトモードが選択されている時、前記表示手段を全白表示に切り替え、一方、前記計時ステップで計時された時間が所定時間を経過した場合、前記ビデオライトモードを解除して前記表示手段による全白表示を終了させる表示制御ステップとを有することを特徴とする。
【００１５】
本発明の撮像装置の表示制御方法は、被写体を撮像する撮像装置の表示制御方法であって、前記撮像装置の表示手段が前記撮像された被写体の映像表示あるいは全白表示を行う表示ステップと、前記撮像装置の取出検出手段が、前記撮像装置に着脱自在に設けられ、前記撮像された映像が記録される記録媒体を外部に取り出すための取出し操作が行われたことを検出する取出検出ステップと、前記撮像装置の選択手段が前記表示手段をビデオライトとして使用するためのビデオライトモードを選択する選択ステップと、前記撮像装置の表示制御手段が、前記ビデオライトモードが選択されている時、前記表示手段を全白表示に切り替え、一方、前記取出し操作が行われたことが検出された場合、前記ビデオライトモードを解除して前記表示手段による全白表示を終了させる表示制御ステップとを有することを特徴とする。
【００１６】
本発明の撮像装置の表示制御方法は、被写体を撮像する撮像装置の表示制御方法であって、前記撮像装置の表示手段が前記撮像された被写体の映像表示あるいは全白表示を行う表示ステップと、前記撮像装置の残容量検出手段が、前記撮像装置に設けられ、前記撮像された映像が記録される記録媒体の残容量を検出する残容量検出ステップと、前記撮像装置の選択手段が、前記表示手段をビデオライトとして使用するためのビデオライトモードを選択する選択ステップと、前記撮像装置の表示制御手段が、前記ビデオライトモードが選択されている時、前記表示手段を全白表示に切り替え、一方、前記残容量検出ステップで前記記録媒体の残容量が閾値以下となった場合、前記ビデオライトモードを解除して前記表示手段による全白表示を終了させる表示制御ステップとを有することを特徴とする。
【００１７】
本発明の撮像装置の表示制御方法は、被写体を撮像する撮像装置の表示制御方法であって、前記撮像装置の表示手段が前記撮像された被写体の映像表示あるいは全白表示を行う表示ステップと、前記撮像装置の選択手段が前記表示手段をビデオライトとして使用するためのビデオライトモードを選択する選択ステップと、前記撮像装置の表示制御手段が、前記ビデオライトモードが選択されている時、前記表示手段を全白表示に切り替える表示制御ステップと、前記撮像装置の重畳手段が前記切り替えられた全白表示に前記ビデオライトモードの解除方法を示す内容を重畳する重畳ステップとを有することを特徴とする。
【００１８】
本発明の撮像装置の表示制御方法は、被写体を撮像する撮像装置の表示制御方法であって、前記撮像装置の表示手段が前記撮像された被写体の映像表示あるいは全白表示を行う表示ステップと、前記撮像装置の選択手段が前記表示手段をビデオライトとして使用するためのビデオライトモードを選択する選択ステップと、前記撮像装置の表示制御手段が、前記ビデオライトモードが選択されている時、前記表示手段を全白表示に切り替える表示制御ステップと、前記撮像装置の重畳手段が前記切り替えられた全白表示に前記ビデオライトモードの解除方法を示す内容を重畳する重畳ステップとを有し、前記表示制御手段が、前記重畳されたビデオライトモードの解除方法を示す内容に従って、所定の操作が行われた場合、前記ビデオライトモードを解除して前記表示手段による全白表示を終了させることを特徴とする。
【００１９】
本発明の撮像装置は、被写体を撮像する撮像装置であって、前記撮像された被写体の映像表示あるいは全白表示を行う表示手段と、前記撮像された映像を再生するレックレビュー再生手段と、前記表示手段をビデオライトとして使用するためのビデオライトモードを選択する選択手段と、前記ビデオライトモードが選択されている時、前記表示手段を全白表示に切り替え、一方、前記レックレビュー再生手段によってレックレビューが開始された場合、前記ビデオライトモードを解除して前記表示手段による全白表示を終了させ、その後、前記レックレビュー再生手段による映像再生が終了した場合、前記ビデオライトモードに復帰して前記表示手段による全白表示を再開させる表示制御手段とを備えたことを特徴とする。
【００２０】
本発明の撮像装置の表示制御方法は、被写体を撮像する撮像装置の表示制御方法であって、前記撮像装置の表示手段が前記撮像された被写体の映像表示あるいは全白表示を行う表示ステップと、前記撮像装置のレックレビュー再生手段が前記撮像された映像を再生するレックレビュー再生ステップと、前記撮像装置の選択手段が前記表示手段をビデオライトとして使用するためのビデオライトモードを選択する選択ステップと、前記撮像装置の表示制御手段が、前記ビデオライトモードが選択されている時、前記表示手段を全白表示に切り替え、一方、前記レックレビュー再生手段によってレックレビューが開始された場合、前記ビデオライトモードを解除して前記表示手段による全白表示を終了させ、その後、前記レックレビュー再生手段による映像再生が終了した場合、前記ビデオライトモードに復帰して前記表示手段による全白表示を再開させる表示制御ステップとを有することを特徴とする。
【発明の効果】
【００２１】
本発明の請求項１に係る撮像装置によれば、ビデオライトモードで表示手段が全白表示を行っている時、特定の状況が発生した場合、ビデオライトモードが解除され、全白表示が終了する。これにより、使用者がビデオライトモードの解除方法を容易に理解することができる。よって、使用者の利便性が向上する。
【００２２】
また、請求項２に係る撮像装置によれば、ビデオライトモードで表示手段が全白表示を行っている時、表示手段を閉状態にするだけで、ビデオライトモードが解除され、全白表示が終了する。これにより、使用者は、簡単な操作だけで行える、ビデオライトモードの解除方法を容易に理解することができる。このように、利便性のあるビデオライトモードの解除方法を提供することができる。
【００２３】
また、請求項３に係る撮像装置によれば、全白表示が不要な正転収納状態になった場合に限ってビデオライトモードが解除されるので、使用者がビデオライトモードの解除方法をより容易に理解することができる。
【００２４】
また、請求項４に係る撮像装置によれば、ビデオライトモード移行後に何のキー操作も行われず、ある一定時間が経過すると、ビデオライトモードが解除され、全白表示が終了する。これにより、誤操作でビデオライトモードに移行した際、使用者が故障と勘違いしてしまうことを低減することができる。
【００２５】
また、請求項５に係る撮像装置によれば、ビデオライトモードで表示手段が全白表示を行っている時、記録媒体を外部に取り出すための取出し操作により、ビデオライトモードが解除され、全白表示が終了する。これにより、記録媒体を交換する際、ビデオライトモードを解除する必要がなく、使用者の利便性が向上する。
【００２６】
また、請求項６に係る撮像装置によれば、ビデオライトモードで表示手段が全白表示を行っている時、記録媒体の残容量がなくなると、ビデオライトモードが解除され、全白表示が終了する。これにより、ビデオライトモードの解除とともに記録媒体の終了を容易に理解することができ、使用者の利便性が向上する。
【００２７】
また、請求項７に係る撮像装置によれば、ビデオライトモードで表示手段が全白表示を行っている時、ビデオライトモードの解除方法を示す内容が全白表示に重畳されるので、どのような状況においても容易にビデオライトモードの解除方法が分かる。
【００２８】
また、請求項１５に係る撮像装置によれば、ビデオライトモードで全白表示が行われている表示手段による表示を、撮影した映像の再生に簡単に切り替えることができ、撮影した映像の確認が容易となる。
【発明を実施するための最良の形態】
【００２９】
本発明の撮像装置及びその表示制御方法の実施の形態について図面を参照しながら説明する。本実施形態の撮像装置はビデオカメラに適用される。
【００３０】
［第１の実施形態］
図１は第１の実施形態におけるビデオカメラの構成を示す斜視図である。ビデオカメラは、ビデオカメラ本体１の前部にレンズ４、その後部にカラービューファインダ（ＣＶＦ）６、その側部に液晶モニタ８等を有する。液晶モニタ８の前面には、ＬＣＤパネル１２が配置されている。
【００３１】
ビデオカメラ本体１は、レンズ４やＣＣＤ（図示せず）などを含む撮像部を内蔵し、映像・音声信号の記録・再生可能な機器本体である。なお、本実施形態では、撮像装置としてビデオカメラを用いたが、映像信号の記録・再生が可能なものであればよく、デジタルスチルカメラなどが用いられてもよい。
【００３２】
液晶モニタ８は、ヒンジ部７を介してビデオカメラ本体１に保持され、ＬＣＤパネル１２は再生映像や撮影映像を表示可能である。また、ＬＣＤパネル１２の背部には、ＬＣＤバックライト１３が設けられている。ヒンジ部７は、ビデオカメラ本体１に対し、液晶モニタ８を図中矢印Ａ方向に開閉自在に保持するとともに、図中矢印Ｂ方向に回動自在に保持する。ＬＣＤパネル１２は、一般に全白（透過率が最大の状態）になると、ＬＣＤパネル１２から出てくる光量が最大となり、あたかもビデオライトを照射しているときと同じ状態となる。この現象を積極的に利用することにより、ＬＣＤパネル１２をビデオライトとして機能させることができる。
【００３３】
図２は主にＬＣＤパネル１２の制御に係る部分の制御回路の構成を示す図である。この制御回路はビデオカメラ本体１の内部に設けられる。この制御回路は、ＬＣＤパネル１２を駆動するＬＣＤドライブ回路１１、カラービューファインダ６に配置されたＣＶＦパネル２０を駆動するＣＶＦドライブ回路１９、およびビデオカメラを制御する制御マイコン１５を有する。また、制御回路は、ＬＣＤパネル１２の矢印Ａ方向の開閉（開閉状態）を検出する開閉検出スイッチ１４、およびＬＣＤパネル１２の矢印Ｂ方向の回動を検出する反転検出スイッチ１７を有する。この反転検出スイッチ１７によって、ＬＣＤパネル１２が被写体側に向いているか撮影者側に向いているかの方向検出が行われる。また、制御回路は、ビデオライトモードのＯＮ／ＯＦＦを検出するビデオライトモード検出回路１６、およびＬＣＤバックライト１３に電源供給を行う電源回路１８を有する。また、制御回路は、撮像素子、ＣＤＳ回路、Ａ／Ｄ変換器等（図示せず）を有し、撮影した画像データを出力する撮像部２１、撮影した画像データに対し必要な信号処理を行う信号処理回路２２、および信号処理された画像データを記憶する画像メモリ２３を有する。
【００３４】
制御マイコン１５は、ＬＣＤパネル１２の開閉・反転の検出結果に応じて、ＬＣＤパネル１２およびＣＶＦパネル２０における映像表示のＯＮ／ＯＦＦを制御する。また、ビデオライトモード検出回路１６は、例えば撮影者による所定のメニュー操作やキー操作により設定あるいは選択されるビデオライトモードのＯＮ／ＯＦＦを検出する。ビデオライトモードのＯＮ状態が検出されると、ＬＣＤパネル１２を全白表示にすることができる。ＬＣＤドライブ回路１１およびＣＶＦドライブ回路１９は、それぞれ制御マイコン１５からの制御信号に従って、別途入力される映像信号をＬＣＤパネル１２およびＣＶＦパネル２０に表示させるようにそれらを駆動する。
【００３５】
上記構成を有する撮像装置であるビデオカメラの動作について説明する。まず、ビデオカメラは、レンズ４を介して入射される被写体の光信号を、ビデオカメラ本体１に内蔵されたＣＣＤ（図示せず）により電気信号に変換して映像信号を得る。この映像信号は、信号処理回路２２で各種信号処理が施されると、ＬＣＤパネル１２に表示される。また、このとき録画ボタンを押すことで、内部に装填されたビデオテープなどの記録媒体に映像信号および音声信号が記録される。
【００３６】
前述したように、ビデオカメラ本体１には、撮影中の映像や再生した映像を表示するためのＬＣＤパネル１２が設けられている。このＬＣＤパネル１２は、ヒンジ部７によって図１の矢印Ａ方向に開閉自在かつ図１の矢印Ｂ方向に回動自在である。すなわち、ＬＣＤパネル１２は、撮影者側に向いた通常撮影状態と、被写体側つまりレンズ４と同方向に向いた対面撮影状態とに回動自在である。
【００３７】
ＬＣＤパネル１２をビデオライトとして使用していない状態では、通常撮影状態でも対面撮影状態でも、映像信号が表示されている。ここで、図１の状態を正転状態、この正転状態から図１の矢印Ａ方向にＬＣＤパネル１２を閉じた状態を正転収納状態と言うこととする。また、図１の状態（正転状態）から矢印Ｂ方向にＬＣＤパネル１２を被写体側に回転した状態を対面状態（反転状態）、この対面状態から図１の矢印Ａ方向にＬＣＤパネル１２を閉じた状態を反転収納状態と言うこととする。
【００３８】
つぎに、ＬＣＤパネル１２をビデオライトとして使用する際の動作について説明する。まず、ビデオカメラ本体１の電源を投入すると、ビデオカメラが撮影モードである場合、レンズ４から入射して光電変換された映像信号はＬＣＤパネル１２に表示される。
【００３９】
そして、ビデオライトモード検出回路１６からのビデオライトモードＯＮ信号が制御マイコン１５に入力されると、制御マイコン１５からＬＣＤドライブ回路１１に対し、ＬＣＤパネル１２を全白に切り替えてビデオライトとして利用するように制御信号が送られる。
【００４０】
ＬＣＤドライブ回路１１は、制御マイコン１５からの制御信号により、ＬＣＤパネル１２に映像信号を出力することを中止し、その代わりに、ＬＣＤパネル１２が全白表示になるような信号を送る。そして、このＬＣＤパネル１２を被写体側に向けて対面状態にすると、ＬＣＤパネル１２をビデオライトとして使用することができる。このように、ＬＣＤパネル１２からの光量が最大となって被写体を照射し、ビデオライトの機能を果たすことができる。また、必要に応じて、全白にしたときのＬＣＤパネル１２の光量をより増大させるため、ＬＣＤバックライト１３の照度を上げるようにすることも可能である。すなわち、ビデオライトモード検出回路１６がＯＮを検出することで、制御マイコン１５から電源回路１８に制御信号が入力され、この電源回路１８の電圧をアップすることにより、ＬＣＤバックライト１３の照度を上げることがきる。なお、ＬＣＤバックライト１３としては、直下形蛍光管、導光板付き蛍光管など、種々の方式のものを用いることができる。
【００４１】
つぎに、ビデオライトモードの解除方法について説明する。図３はビデオカメラの動作手順を示すフローチャートである。この動作プログラムは制御マイコン１５内のＲＯＭ（図示せず）に格納されており、制御マイコン１５内のＣＰＵによって実行される。
【００４２】
まず、制御マイコン１５は、ビデオライトモード検出回路１６によってビデオライトモードがＯＮであることが検出されたか否かを判別する（ステップＳ１）。ビデオライトモードがＯＦＦであることが検出された場合、制御マイコン１５はそのまま本処理を終了する。
【００４３】
一方、ビデオライトモードがＯＮであることが検出された場合、制御マイコン１５はＬＣＤパネル１２を全白表示に切り替える（ステップＳ２）。ＬＣＤパネル１２が全白表示に切り替えられたビデオライトモードにおいて、制御マイコン１５は、開閉検出スイッチ１４の閉状態が検出されたか否かを判別する（ステップＳ３）。ここでは、開閉検出スイッチ１４の閉状態が検出された場合、特定の状況が発生したと判断される。
【００４４】
ステップＳ３で開閉検出スイッチ１４の閉状態が検出されると、制御マイコン１５は、ビデオライトモードを解除し、ＬＣＤパネル１２の全白表示を終了させる（ステップＳ４）。この後、制御マイコン１５は本処理を終了する。一方、ステップＳ３で開閉検出スイッチ１４が開状態である場合、制御マイコン１５は、ステップＳ２の処理に戻り、ＬＣＤパネル１２の全白表示を保持する。
【００４５】
このように、第１の実施形態の撮像装置によれば、ビデオライトモードでＬＣＤパネルが全白表示を行っている時、ＬＣＤパネルを閉状態にするだけで、ビデオライトモードが解除され、全白表示が終了する。従って、使用者がビデオライトモードの解除方法を容易に理解することができる。これにより、使用者の利便性が向上し、利便性のあるビデオライトモードの解除方法を提供することができる。
【００４６】
なお、上記実施形態では、ＬＣＤパネル１２を閉状態にした時にビデオライトモードを解除しているが、正転収納状態の時のみビデオライトモードを解除するようにしてもよい。図４は他のビデオカメラの動作手順を示すフローチャートである。この動作プログラムは制御マイコン１５内のＲＯＭ（図示せず）に格納されており、制御マイコン１５内のＣＰＵ（図示せず）によって実行される。
【００４７】
まず、制御マイコン１５は、ビデオライトモード検出回路１６によってビデオライトモードがＯＮであることが検出されたか否かを判別する（ステップＳ１１）。ビデオライトモードがＯＦＦであることが検出された場合、制御マイコン１５はそのまま本処理を終了する。
【００４８】
一方、ビデオライトモードがＯＮであることが検出された場合、制御マイコン１５はＬＣＤパネル１２を全白表示に切り替える（ステップＳ１２）。ＬＣＤパネル１２が全白表示に切り替えられたビデオライトモードにおいて、制御マイコン１５は、反転検出スイッチ１７によって正転状態であるか否かを検出する（ステップＳ１３）。正転状態である場合、制御マイコン１５は、開閉検出スイッチ１４の閉状態が検出されたか否かを判別する（ステップＳ１４）。
【００４９】
開閉検出スイッチ１４の閉状態が検出された場合、つまり正転収納状態である場合、制御マイコン１５は、ビデオライトモードを解除し、ＬＣＤパネル１２の全白表示を終了させる（ステップＳ１５）。一方、ステップＳ１３で反転検出スイッチ１７によって反転状態であることが検出された場合、あるいはステップＳ１４で開閉検出スイッチ１４が開状態である場合、制御マイコン１５は、ステップＳ１２の処理に戻り、ＬＣＤパネル１２の全白表示を保持する。この状態は、正転状態、対面状態および反転収納状態のいずれかに相当する。
【００５０】
このように、全白表示が不要な正転収納状態になった場合に限ってビデオライトモードを解除することで、使用者がビデオライトモードの解除方法をより容易に理解することができる。
【００５１】
［第２の実施形態］
第２の実施形態の撮像装置におけるビデオライトモードの解除方法について説明する。第２の実施形態の撮像装置の構成は、前記第１の実施形態とほぼ同一であるので、同一の構成要素については同一の符号を用いることでその説明を省略し、ここでは異なる構成について説明する。
【００５２】
図５は第２の実施形態における制御回路の構成を示すブロック図である。前記第１の実施形態と比べ、この制御回路には、キー操作検出回路５１とタイマ５２が追加されており、ビデオカメラ本体１に設けられた所定のキー（図示せず）に対するキー操作の有無の検出が可能であり、かつ最後のキー操作からの時間が計時可能である。なお、前記第１の実施形態おける開閉検出スイッチ１４および反転検出スイッチ１７は省かれている。
【００５３】
図６はビデオカメラの動作手順を示すフローチャートである。この動作プログラムは制御マイコン１５内のＲＯＭ（図示せず）に格納されており、制御マイコン１５内のＣＰＵ（図示せず）によって実行される。なお、この動作の起動時、タイマ５２は初期値０にリセットされる。
【００５４】
まず、制御マイコン１５は、ビデオライトモード検出回路１６によってビデオライトモードがＯＮであることが検出されたか否かを判別する（ステップＳ２１）。ビデオライトモードがＯＦＦであることが検出された場合、制御マイコン１５はそのまま本処理を終了する。
【００５５】
一方、ビデオライトモードがＯＮであることが検出された場合、制御マイコン１５はＬＣＤパネル１２を全白表示に切り替える（ステップＳ２２）。ＬＣＤパネル１２が全白表示に切り替えられたビデオライトモードにおいて、制御マイコン１５は、キー操作検出回路５１によりキー操作が行われていることが検出されたか否かを判断する（ステップＳ２３）。
【００５６】
キー操作検出回路５１によりキー操作が行われていないと判断した場合、制御マイコン１５は、最後のキー操作後からタイマ５２により計時された時間が所定時間を経過したか否かを検出する（ステップＳ２４）。タイマ５２により計時された時間が所定時間を経過したことが検出されると、制御マイコン１５は、ビデオライトモードを解除し、ＬＣＤパネル１２の全白表示を終了させる（ステップＳ２５）。この後、制御マイコン１５は本処理を終了する。
【００５７】
一方、ステップＳ２３でキー操作検出回路５１により何らかのキー操作が行われたと判断した場合、制御マイコン１５は、ステップＳ２２の処理に戻り、ビデオライトモードを保持してＬＣＤパネル１２を全白表示のままとする。また、このとき、制御マイコン１５はタイマ５２を初期値０にリセットする。また一方、ステップＳ２４で最後のキー操作後からタイマ５２により計時された時間が所定時間を経過していない場合、制御マイコン１５は、ステップＳ２２の処理に戻り、ビデオライトモードを保持してＬＣＤパネル１２を全白表示のままとする。
【００５８】
このように、第２の実施形態の撮像装置によれば、ビデオライトモード移行後、いずれのキー操作も行われず、ある一定時間が経過すると、ビデオライトモードが解除され、全白表示が終了する。従って、誤操作でビデオライトモードに移行した際、使用者が故障と勘違いしてしまうことを低減させることができる。
【００５９】
［第３の実施形態］
第３の実施形態の撮像装置におけるビデオライトモードの解除方法について説明する。第３の実施形態の撮像装置の構成は、前記第１の実施形態とほぼ同一であるので、同一の構成要素については同一の符号を用いることでその説明を省略し、ここでは異なる構成について説明する。
【００６０】
図７は第３の実施形態における制御回路の構成を示すブロック図である。前記第１の実施形態と比べ、この制御回路には、記録媒体を外部に取り出すためのＥＪＥＣＴスイッチ７１が追加されており、記録媒体をビデオカメラ本体１から外部に取り出すことが可能である。なお、前記第１の実施形態における開閉検出スイッチ１４および反転検出スイッチ１７は省かれている。
【００６１】
図８はビデオカメラの動作手順を示すフローチャートである。この動作プログラムは制御マイコン１５内のＲＯＭ（図示せず）に格納されており、制御マイコン１５内のＣＰＵ（図示せず）によって実行される。
【００６２】
まず、制御マイコン１５は、ビデオライトモード検出回路１６によってビデオライトモードがＯＮであることが検出されたか否かを判別する（ステップＳ３１）。ビデオライトモードがＯＦＦであることが検出された場合、制御マイコン１５はそのまま本処理を終了する。
【００６３】
一方、ビデオライトモードがＯＮであることが検出された場合、制御マイコン１５はＬＣＤパネル１２を全白表示に切り替える（ステップＳ３２）。ＬＣＤパネル１２が全白表示に切り替えられたビデオライトモードにおいて、制御マイコン１５は、撮影者がＥＪＥＣＴスイッチ７１を操作して記録媒体を外部に取り出すためのＥＪＥＣＴ操作（取出し操作）が行われたか否かを判断する（ステップＳ３３）。このステップＳ３３の処理は取出検出手段に相当する。
【００６４】
ＥＪＥＣＴ操作が行われたと判断した場合、制御マイコン１５は、ビデオライトモードを解除し、ＬＣＤパネル１２の全白表示を終了させる（ステップＳ３４）。この後、制御マイコン１５は本処理を終了する。
【００６５】
一方、ステップＳ３３でＥＪＥＣＴ操作が行われないと判断した場合、制御マイコン１５は、ステップＳ３２の処理に戻り、ビデオライトモードを保持してＬＣＤパネル１２を全白表示のままとする。この後、制御マイコン１５は本処理を終了する。
【００６６】
このように、第３の実施形態の撮像装置によれば、ビデオライトモードでＬＣＤパネルが全白表示を行っている時、記録媒体をビデオカメラ本体から取り出す取出し操作により、ビデオライトモードが解除され、全白表示が終了する。これにより、記録媒体を交換する際、ビデオライトモードを解除する必要がなく、使用者の利便性が向上する。
【００６７】
［第４の実施形態］
第４の実施形態の撮像装置におけるビデオライトモードの解除方法について説明する。図９は第４の実施形態における制御回路の構成を示すブロック図である。第４の実施形態の撮像装置の構成は、前記第１の実施形態とほぼ同一であるので、同一の構成要素については同一の符号を用いることでその説明を省略し、ここでは異なる構成について説明する。
【００６８】
前記第１の実施形態と比べ、この制御回路には、メディア残量検出回路９１（残容量検出手段に相当）が追加されており、記録媒体の残量検出が可能である。なお、第１の実施形態における開閉検出スイッチ１４および反転検出スイッチ１７は省かれている。
【００６９】
図１０はビデオカメラの動作手順を示すフローチャートである。この動作プログラムは制御マイコン１５内のＲＯＭ（図示せず）に格納されており、制御マイコン１５内のＣＰＵ（図示せず）によって実行される。
【００７０】
まず、制御マイコン１５は、ビデオライトモード検出回路１６によってビデオライトモードがＯＮであることが検出されたか否かを判別する（ステップＳ４１）。ビデオライトモードがＯＦＦであることが検出された場合、制御マイコン１５はそのまま本処理を終了する。
【００７１】
一方、ビデオライトモードがＯＮであることが検出された場合、制御マイコン１５はＬＣＤパネル１２を全白表示に切り替える（ステップＳ４２）。ＬＣＤパネル１２が全白表示に切り替えられたビデオライトモードにおいて、制御マイコン１５は、メディア残量検出回路９１によって検出される記録メディアの残容量がなくなったか否か、つまり残容量が閾値以下になったか否かを判断する（ステップＳ４３）。
【００７２】
記録メディアの残容量がなくなったことが検出された場合、制御マイコン１５は、ビデオライトモードを解除し、ＬＣＤパネル１２の全白表示を終了させる（ステップＳ４４）。この後、制御マイコン１５は本処理を終了する。
【００７３】
一方、ステップＳ４３で記録メディアの残容量がなくなったことが検出されなかった場合、制御マイコン１５は、ステップＳ４２の処理に戻り、ビデオライトモードを保持してＬＣＤパネル１２を全白表示のままとする。この後、制御マイコン１５は本処理を終了する。
【００７４】
このように、第４の実施形態の撮像装置によれば、ビデオライトモードでＬＣＤパネルが全白表示を行っている時、記録媒体の残容量がなくなると、ビデオライトモードが解除され、全白表示が終了する。これにより、ビデオライトモードの解除とともに記録媒体の終了が容易に理解でき、使用者の利便性が向上する。
【００７５】
［第５の実施形態］
第５の実施形態の撮像装置におけるビデオライトモードの解除方法について説明する。図１１は第５の実施形態における制御回路の構成を示すブロック図である。第５の実施形態の撮像装置の構成は、前記第１の実施形態とほぼ同一であるので、同一の構成要素については同一の符号を用いることでその説明を省略し、ここでは異なる構成について説明する。
【００７６】
前記第１の実施形態と比べ、この制御回路には、ＯＳＤ表示回路１０１が追加されており、ＬＣＤパネル１２にＯＳＤ表示が可能である。なお、前記第１の実施形態における開閉検出スイッチ１４および反転検出スイッチ１７は省かれている。
【００７７】
前記第１〜第４の実施形態では、ビデオライトモード時にＬＣＤパネル１２を全白表示としていたが、第５の実施形態では、ビデオライトモードの解除方法を示す内容をＬＣＤパネル１２にＯＳＤ表示（オンスクリーンディスプレイ表示）により表示する。このＯＳＤ表示では、全白表示を示す信号に、ビデオライトモードの解除方法を示す内容の信号が重畳される。
【００７８】
図１２は一例としてビデオライトモードの解除方法が常に表示し続けるＬＣＤパネル１２の画面を示す図である。この解除方法の表示はビデオライトモード時において常に継続される。ここでは、ビデオライトモードの解除方法を示す内容として、「ビデオライトモードはパネル閉で解除できます」というメッセージがテキストで表示されている。これにより、使用者は、全白表示に重畳されたビデオライトモードの解除方法を示す内容に従って、ＬＣＤパネル１２を閉じる操作を行うだけで、ビデオライトモードは解除される。このように、使用者はビデオライトモードの解除方法を容易に理解できる。なお、ビデオライトモードの解除方法を示す内容の表示としては、テキスト表示に限らず、絵などの画像表示であってもよい。
【００７９】
図１３は他の一例としてビデオライトモードの解除方法が表示されたＬＣＤパネル１２の画面を示す図である。ここでは、ＬＣＤパネル１２の額縁にビデオライトモードの解除ボタン１１５が配置されている。この場合、ビデオライトモードの解除ボタン１１５を矢印で指し示すメッセージがＬＣＤパネル１２にテキストおよび画像で表示される。
【００８０】
このように、第５の実施形態の撮像装置によれば、ビデオライトモードでＬＣＤパネルが全白表示を行っている時、ビデオライトモードの解除方法を示す内容を全白表示に重畳する。これにより、どのような状況においても容易にビデオライトモードの解除方法が分かる。
【００８１】
［第６の実施形態］
第６の実施形態の撮像装置におけるビデオライトモードの解除方法について説明する。図１４は第６の実施形態における制御回路の構成を示すブロック図である。第６の実施形態の撮像装置の構成は、前記第１の実施形態とほぼ同一であるので、同一の構成要素については同一の符号を用いることでその説明を省略し、ここでは異なる構成について説明する。
【００８２】
前記第１の実施形態と比べ、この制御回路には、レックレビュー再生回路１３１が追加されており、撮影した映像を確認するレックビューが可能である。なお、前記第１の実施形態における開閉検出スイッチ１４および反転検出スイッチ１７は省かれている。
【００８３】
図１５はビデオカメラの動作手順を示すフローチャートである。この動作プログラムは制御マイコン１５内のＲＯＭ（図示せず）に格納されており、制御マイコン１５内のＣＰＵ（図示せず）によって実行される。
【００８４】
まず、制御マイコン１５は、ビデオライトモード検出回路１６によってビデオライトモードがＯＮであることが検出されたか否かを判別する（ステップＳ６１）。ビデオライトモードがＯＦＦであることが検出された場合、制御マイコン１５はそのまま本処理を終了する。
【００８５】
一方、ビデオライトモードがＯＮであることが検出された場合、制御マイコン１５はＬＣＤパネル１２を全白表示に切り替える（ステップＳ6２）。ＬＣＤパネル１２が全白表示に切り替えられたビデオライトモードにおいて、制御マイコン１５は、レックレビュー再生回路１３１により、レックレビューが開始されたか否かを判断する（ステップＳ6３）。
【００８６】
レックレビューが開始された場合、制御マイコン１５は、ビデオライトモードを解除し、ＬＣＤパネル１２の全白表示を終了させる（ステップＳ6４）。この後、制御マイコン１５は、レックレビューが終了したか否かを判別する（ステップＳ６５）。レックレビューが終了した場合、制御マイコン１５は、ステップＳ６２の処理に戻り、ＬＣＤパネル１２を全白表示に切り替える。一方、ステップＳ６５でレックレビューが未終了である場合、制御マイコン１５は本処理を終了する。
【００８７】
また一方、ステップＳ６３でレックレビューが開始されなかった場合、制御マイコン１５は、ステップＳ６２の処理に戻り、ビデオライトモードを保持してＬＣＤパネル１２を全白表示のままとする。
【００８８】
このように、第６の実施形態の撮像装置によれば、ビデオライトモードでＬＣＤパネルが全白表示を行っている時、レックレビューが開始されると、ビデオライトモードを解除し、レックレビューが終了すると、ビデオライトモードに復帰する。これにより、ＬＣＤパネルによるビデオライトモードの全白表示を再開してＬＣＤパネルによる表示を、撮影した映像の再生に簡単に切り替えることができ、撮影した映像の確認が容易となる。
【００８９】
なお、本発明は、上記実施形態の構成に限られるものではなく、特許請求の範囲で示した機能、または本実施形態の構成が持つ機能が達成できる構成であればどのようなものであっても適用可能である。
【００９０】
例えば、上記各実施形態では、表示手段として、バックライト方式のＬＣＤパネルを用いているが、有機ＥＬディスプレイなどの自発光型の表示手段を用いてもよい。その他、表面電界ディスプレイ（ＳＥＤ）、プラズマディスプレイなどを用いてもよい。
【００９１】
また、上記実施形態では、液晶パネルがビデオカメラ本体の側面に対し、開閉かつ回動自在に設けられていたが、撮像装置はこのような構造に限られるものではない。例えば、ビデオカメラ本体の前面と背面とに液晶パネルが着脱自在に取り付けられる構造の撮像装置であってもよい。
【図面の簡単な説明】
【００９２】
【図１】第１の実施形態におけるビデオカメラの構成を示す斜視図である。
【図２】主にＬＣＤパネル１２の制御に係る部分の制御回路の構成を示す図である。
【図３】ビデオカメラの動作手順を示すフローチャートである。
【図４】他のビデオカメラの動作手順を示すフローチャートである。
【図５】第２の実施形態における制御回路の構成を示すブロック図である。
【図６】ビデオカメラの動作手順を示すフローチャートである。
【図７】第３の実施形態における制御回路の構成を示すブロック図である。
【図８】ビデオカメラの動作手順を示すフローチャートである。
【図９】第４の実施形態における制御回路の構成を示すブロック図である。
【図１０】ビデオカメラの動作手順を示すフローチャートである。
【図１１】第５の実施形態における制御回路の構成を示すブロック図である。
【図１２】一例としてビデオライトモードの解除方法が表示されたＬＣＤパネル１２の画面を示す図である。
【図１３】他の一例としてビデオライトモードの解除方法が表示されたＬＣＤパネル１２の画面を示す図である。
【図１４】第６の実施形態における制御回路の構成を示すブロック図である。
【図１５】ビデオカメラの動作手順を示すフローチャートである。
【符号の説明】
【００９３】
１  ビデオカメラ本体
１１  ＬＣＤドライブ回路
１２  ＬＣＤパネル
１４  開閉検出スイッチ
１５  制御マイコン
１６  ビデオライトモード検出回路
１７  反転検出スイッチ
５１  キー操作検出回路
７１  ＥＪＥＣＴスイッチ
９１  メディア残量検出回路
１０１  ＯＳＤ表示回路
１３１  レックレビュー再生回路
【図１】
2009130539.tif 000003
【図２】
2009130539.tif 000004
【図３】
2009130539.tif 000005
【図４】
2009130539.tif 000006
【図５】
2009130539.tif 000007
【図６】
2009130539.tif 000008
【図７】
2009130539.tif 000009
【図８】
2009130539.tif 000010
【図９】
2009130539.tif 000011
【図１０】
2009130539.tif 000012
【図１１】
2009130539.tif 000013
【図１２】
2009130539.tif 000014
【図１３】
2009130539.tif 000015
【図１４】
2009130539.tif 000016
【図１５】
2009130539.tif 000017